(57)【特許請求の範囲】
【請求項１】
合成樹脂製のケースの底壁部の第１の面側に回路基板が固定され、
前記第１の面の反対側の第２の面に配置された電子部品の端子が前記ケースを貫通して前記回路基板のスルーホールに固定される電子制御装置において、
前記第１の面には、該第１の面から前記回路基板に向けて立ち上る挿入ガイドが形成されており、
前記挿入ガイドの頂部壁に開口し、前記挿入ガイドで案内された前記端子が通るガイド孔と、
前記挿入ガイドの前記底壁部側に開口し、前記電子部品の端子が前記第２の面側から前記挿入ガイド側へ通過する第１の開口部と、
前記第１の面から前記頂部壁へと延びる前記挿入ガイドの周壁に開口した第２の開口部と、を備え、
前記第１の開口部と前記第２の開口部が連続するように開口している、ことを特徴とする電子制御装置。
【請求項２】
前記電子部品の端子は、前記第２の開口部から前記挿入ガイドの外側方向に突出するように屈曲している、ことを特徴とする請求項１に記載の電子制御装置。
【請求項３】
合成樹脂製のケースの底壁部の第１の面側に回路基板が固定され、
前記第１の面の反対側の第２の面に配置された電子部品の端子が前記ケースを貫通して前記回路基板のスルーホールに固定される電子制御装置において、
前記第１の面には、前記回路基板に向けて立ち上る挿入ガイドを備え、
前記端子の三方を取り囲むように溝状に形成された周壁で前記電子部品が案内され、前記挿入ガイドの頂部壁に開口したガイド孔を通して前記電子部品の端子が前記回路基板と接続される、ことを特徴とする電子制御装置。
【請求項４】
前記挿入ガイドの頂部壁に一対のガイド孔が開口形成されており、１つの電子部品の一対の端子が前記ガイド孔にそれぞれ挿入される、ことを特徴とする請求項１〜３のいずれかに記載の電子制御装置。
【請求項５】
前記挿入ガイドの頂部壁に二対のガイド孔が開口形成されており、２つの電子部品の背面同士を突き合わせた状態で、該電子部品の端子が前記ガイド孔にそれぞれ挿入される、ことを特徴とする請求項１〜３のいずれかに記載の電子制御装置。
【請求項６】
前記挿入ガイドは、前記挿入ガイドと対向する前記回路基板の面上のはんだフィレットと干渉しないように、前記頂部壁の高さが設定されている、ことを特徴とする請求項１〜３のいずれかに記載の電子制御装置。
【請求項７】
前記電子部品の端子が挿入される複数の貫通孔と、前記回路基板に対する位置決め部と、前記ケースに対する位置決め部と、を有する挿入ガイドプレートをさらに備え、
前記貫通孔は、回路基板側が小径となるテーパ状をなしている、ことを特徴とする請求項１〜３のいずれかに記載の電子制御装置。
【請求項８】
前記周壁の前記頂部壁側の部分は、前記電子部品の端子の周囲が囲まれるように形成されている、ことを特徴とする請求項１または３に記載の電子制御装置。
【発明の詳細な説明】
【技術分野】
【０００１】
本発明は、ソレノイドコイル等の電子部品がケース側に配置される電子制御装置に関する。
【背景技術】
【０００２】
例えば、車両ブレーキ制御用電子制御装置として、特許文献１に記載されたものが知られている。特許文献１の電子制御装置は、アンチロックブレーキ制御等のために、電磁切換弁やモータ等の動作制御を行うものであり、電磁切換弁の複数のコイルを収容するコイルキャリアと、電磁切換弁の駆動のための回路等が設けられた回路基板と、を有し、これらがハウジング内に収容されている。
【０００３】
コイルキャリアは、側面が開口した箱状をなしており、その内部に８つのコイルが収容されている。また、コイルキャリアの回路基板に対向する頂面には、コイル端子を挿通させる８つの挿通孔が開口形成されている。各コイルは２本の端子を有しており、これら２本の端子が１つの挿通孔を通るようにしてコイルキャリア内に配置されている。端子は、コイルが収容された側から挿通孔を通して前記頂面を貫通して、回路基板に形成されたスルーホールに挿通され、先端部分がはんだ付けされることでコイルが回路基板に固着されている。
【先行技術文献】
【特許文献】
【０００４】
【特許文献１】特開２００７−３３１７０１号公報
【発明の概要】
【発明が解決しようとする課題】
【０００５】
コイルキャリアからは多くの端子が突出しており、これら全ての端子を、他の電子部品の端子群とともにスルーホールに挿入しなければならないが、特許文献１記載の装置には、端子を支持してスルーホールに案内するガイド部材が設けられていないため、コイル毎に端子間の間隔にばらつきが生じてしまい、全ての端子をスルーホールにスムーズに挿入することは困難であった。また、組み付け方によっては、端子を変形させてしまうという問題があった。
【課題を解決するための手段】
【０００６】
本発明に係る電子制御装置は、合成樹脂製のケースと、該ケースに固定された回路基板と、を備え、ケースは、回路基板と対向する第１の面と、反対側の第２の面と、を有し、第２の面に配置された電子部品の端子が当該ケースを貫通して回路基板のスルーホールに固定されている。第１の面には、該第１の面から回路基板に向けて凸状に立ち上がっている挿入ガイドが形成されており、この挿入ガイドの頂部壁に、端子が挿入されるガイド孔が開口形成されている。
【発明の効果】
【０００７】
本発明によれば、ガイド孔を設けた頂部壁と回路基板とが近接するため、ケースに配置される電子部品の端子を回路基板のスルーホールにスムーズに挿入することができ、組み付け作業性を向上させることができる。
【図面の簡単な説明】
【０００８】
【図１】本発明に係る電子制御装置を概略的に示す分解斜視図。
【図２】本発明に係る電子制御装置のケースの斜視図。
【図３】本発明に係るケースの上面図。
【図４】図３のＡ−Ａ線に沿った電子制御装置の断面図。
【図５】本発明に係る第１挿入ガイドの斜視図。
【図６】図５のＢ−Ｂ線に沿った第１挿入ガイドの断面図。
【図７】図３のＣ−Ｃ線に沿った電子制御装置の断面図であって第１挿入ガイドを示す図。
【図８】端子が挿入されている状態の第１挿入ガイドの斜視図。
【図９】本発明に係る第２挿入ガイドの斜視図。
【図１０】図４に示したＥ部の拡大断面図であって、ソレノイドコイルを取り除いた状態の第２挿入ガイドを示す図。
【図１１】端子が挿入されている状態の第２挿入ガイドの斜視図。
【図１２】図３のＤ−Ｄ線に沿った第２挿入ガイドの断面図。
【図１３】本発明に係る挿入ガイドプレートの斜視図。
【図１４】挿入ガイドプレート及び第２挿入ガイドを示す図４と同様の断面図。
【図１５】図１４に示したＦ部の拡大断面図。
【発明を実施するための形態】
【０００９】
図を参照して、本発明の一実施例について詳細に説明する。以下の実施例は、本発明を車両の横滑り防止装置（ＥＳＣ）を構成する電子制御装置１に適用したものである。
【００１０】
なお、以下の説明では、理解を容易にするために、図１の姿勢を基準として「上」「下」「前」「後」等の用語を用いることとするが、本発明の電子制御装置１は、図１の取付姿勢に限定されるものではない。
【００１１】
図１を参照して、電子制御装置１全体の基本的な構成を説明すると、電子制御装置１は、合成樹脂製のケース２と、ケース２に取り付けられた回路基板３と、回路基板３を覆うようにケース２に取り付けられたカバー４と、を備えている。
【００１２】
図２，４に示すように、略矩形状に形成されたケース２は、図示しない液圧ユニットの上面側の四方を囲むように垂直方向に立設された周壁部６と、ケース２の第１の側方部２ａと第２の側方部２ｂとの間に亘って延在する平板状の底壁部７と、第１の側方部２ａ側において周壁部６から側方へ張り出して設けられた略矩形のコネクタ部８と、を備えている。ケース２の外縁にはカバー４に向かって立ち上がっている係合部９が設けられている。
【００１３】
液圧ユニットに対応した形状の周壁部６には、図２に示すように、下端部の外周に沿ってフランジ部１０が形成されており、周壁部６の四隅には、ケース２を液圧ユニットに螺着するためのボルトが挿通されるボルト挿通孔１０ａが上下方向に貫通形成されている。
【００１４】
底壁部７は、図２〜４に示すように、回路基板３と対向する上面（本発明における第１の面）７ａと、これと反対側に位置する下面（本発明における第２の面）７ｂと、を有し、上面７ａには、係合部９に沿った四方の位置に、回路基板３を保持するためのスナップフィット部１１がそれぞれ立設されている。さらに、ケース２の前方部２ｃ及び後方部２ｄに立設されたスナップフィット部１１の両側、並びに第２の側方部２ｂに立設されたスナップフィット部１１の一方の側（後方部２ｄ側）に、回路基板３を下方から支持する支持片１２が立設されている。また、後方部２ｄと第２の側方部２ｂとの間に画定された角部に１つの支持片１２が立設されている。つまり、底壁部７の三方の周縁に沿って６個の支持片１２が形成されている。さらに、底壁部７には、後述する２つの第１挿入ガイド３０及び４つの第２挿入ガイド５０が上面７ａから回路基板３側に向けて突出するようにそれぞれ形成されている。
【００１５】
図４に示すように、底壁部７の下面７ｂには、電磁切換弁のソレノイドコイル１５（本発明における電子部品）を各々収容する１０個のコイル収容部１６が矩形の凹部として画定されている。ソレノイドコイル１５は、矩形の端部１５ａ，１５ｂの間に筒状部１５ｃを有し、その周りにコイル１５ｄが巻かれており、一側部から２本の端子１８が突出している。コイル収容部１６内に配置されたソレノイドコイル１５の端子１８は、底壁部７を貫通するとともに、挿入ガイド３０，５０の頂部から突出している。また、図２に示すように、電源コネクタやモータコネクタ及び信号コネクタに接続される複数の端子群２１等が底壁部７を貫通して上面７ａから突出している（図２参照）。さらに、下面７ｂには回路基板３と図示しないモータとを電気的に接続するモータポスト２２が設けられている。
【００１６】
樹脂基板や金属基板からなる回路基板３は、図１，４に示すように、ケース２の外形状に沿って略矩形の薄板状に形成されており、マイクロコンピュータを含む複数の電子部品２５が実装され、かつ回路パターンが形成されている。さらに、回路基板３には、多数のコネクタ端子孔が開口形成されており、これら孔には端子群２１等の端子が挿通され、はんだ付けによって接続されている。また、回路基板３には、ソレノイドコイル１５の端子１８が挿通される複数（例えば、２０個）のスルーホール３ａが開口形成されている。端子１８は、スルーホール３ａに挿通されて、はんだ付けにより回路基板３に固着されている。このように構成された回路基板３は、支持片１２上に載置され、スナップフィット部１１の上端に設けられた爪部で上面３ｂの周縁部を押えることにより、支持片１２と爪部の間で挟着固定されてケース２に取り付けられる。
【００１７】
合成樹脂製または金属製のカバー４は、ケース２の外形状に沿って略矩形状に形成されており、図１に示すように外周部４ａと、該外周部４ａの一方の端面を塞ぐ平面状の蓋部４ｂとから構成されている。カバー４における外周部４ａの端部の周縁には、外側へ向って突出するフランジ部４ｃが形成されている。カバー４は、フランジ部４ｃがケース２の係合部９に当接して、所定の方法によりケース２に取り付けられている。放熱性および耐ノイズ性を確保するために、金属製のカバー４を用いることもある。
【００１８】
次に、図２〜８を参照して、第１挿入ガイド３０について説明する。１つの第１挿入ガイド３０は、１つのソレノイドコイル１５に対応しており、各ソレノイドコイル１５の２つの端子１８をガイドするために用いられる。
【００１９】
図２，３に示すように、上面７ａには、２つの第１挿入ガイド３０が設けられており、これらの第１挿入ガイド３０は、ソレノイドコイル１５の位置に対応して配置されており、本実施例では、ケース２の前方部２ｃと後方部２ｄとの間の中間位置よりも後方部２ｄ寄りの位置において、互いに対向するように配置されている。
【００２０】
図５，６に示すように、各第１挿入ガイド３０は、上面７ａから回路基板３に向けて凸状に垂直に立ち上がっており、平坦な頂部壁３４と、上面７ａから頂部壁３４へと垂直方向に延びている周壁３６と、を備えている。つまり、第１挿入ガイド３０は、２つの端子１８を囲むように偏平な筒状をなしている。周壁３６は、コイル中心へ向かう前面部３６ａと、コイル外周側へ向かう背面部３６ｂと、両者を接続する一対の側面部３６ｃと、からなる。
【００２１】
頂部壁３４は、細長く延びた形状をなし、長手方向の両端部には、端子１８が挿通する円形のガイド孔４０がそれぞれ開口形成されている。２つのガイド孔４０間の間隔は、挿入される２本の端子１８間の間隔に合わせて設定されている。図７に示すように、ガイド孔４０は、端子１８の挿入を容易にするために外側（頂面側）が小径となるテーパ状をなしている。このガイド孔４０の小径部分の内径は、スルーホール３ａの内径よりも小さく設定されている。
【００２２】
周壁３６の内側には、各端子１８の少なくとも三方を取り囲む２つのガイド溝４２が形成されている。各ガイド溝４２は、コイル収容部１６と連通するとともに、ガイド孔４０に連続するように垂直方向に延びている。各ガイド溝４２の幅は、ガイド孔４０の大径部分の内径と実質的に同じ大きさである。
【００２３】
背面部３６ｂには、上面７ａ側における長手方向の両端部にそれぞれ形成された略矩形の開口部４４が形成されている。したがって、第１挿入ガイド３０は、ガイド溝４２に沿った断面では、一方に向かって開放された断面逆Ｌ字状をなしている。開口部４４はガイド溝４２に連続しており、したがって、この開口部４４を介してガイド溝４２の一部が開放されている。
【００２４】
各第１挿入ガイド３０の背面部３６ｂ側において、底壁部７には、コイル収容部１６と連通する矩形の２つの開口部４６が開口形成されている。開口部４６は、開口部４４及びガイド溝４２と連続しており、第１挿入ガイド３０の長手方向両端部から外方に細長く延びている。また、前面部３６ａ側において、底壁部７には、コイル収容部１６に対して開口している略円形の開口部４８が開口形成されている。なお、背面部３６ｂは平面状をなしているのに対し、前面部３６ａは、この開口部４８の外縁に沿って中央部分が窪んでいる。
【００２５】
また、第１挿入ガイド３０の高さは、回路基板３をケース２に組み付けたときに、頂部壁３４が下面３ｃ（図７参照）に形成された図示しないはんだフィレットと干渉しないように設定されている。頂部壁３４は、はんだフィレットと干渉しない範囲で下面３ｃと近接していることが望ましい。本実施例では、はんだフィレットの高さは、例えば、約０．５ｍｍである。
【００２６】
図８は、端子１８を第１挿入ガイド３０に挿入した状態を示している。端子１８は、ガイド溝４２を通り、先端部１８ａがガイド孔４０を通って第１挿入ガイド３０から突出している。また、端子１８の基部１８ｂは、開口部４６から上方に突出しており、屈曲部１８ｃが開口部４４から側方に突出している。
【００２７】
次に、図２〜４及び図９〜１２を参照して、第２挿入ガイド５０について説明する。第１挿入ガイド３０が１つのソレノイドコイル１５の端子１８をガイドするものであるのに対し、第２挿入ガイド５０は２つのソレノイドコイル１５の端子１８をガイドするものであり、このため、第２挿入ガイド５０は第１挿入ガイド３０を２つ組み合わせたような構造を有している。つまり、第１挿入ガイド３０の２つ分にほぼ相当する大きさの矩形の突起物として構成されている。
【００２８】
図２，３に示すように、上面７ａには、４つの第２挿入ガイド５０が設けられており、これらの４つの第２挿入ガイド５０は、ソレノイドコイル１５の位置に対応して配置されており、本実施例では、前方部２ｃ寄りの位置で、第１の側方部２ａと第２の側方部２ｂとの間に亘って、互いに所定の間隔を隔てて一列に配置されている。第２挿入ガイド５０の下方には、８つのコイル収容部１６が「２×４」の形で二列に並べて配置されており、各第２挿入ガイド５０は、隣接する一対のコイル収容部１６の間に位置している。
【００２９】
図１２に示すように、一対のソレノイドコイル１５は、端子１８が配設されている一側面を背中合わせに配置され、これら一対のソレノイドコイル１５の計４本の端子１８が１つの第２挿入ガイド５０に挿入されている。なお、図１２並びに以下の説明では、必要に応じて、背中合わせとなった一対のソレノイドコイル１５のうちの一方をソレノイドコイル１５Ａとし、他方をソレノイドコイル１５Ｂとして区別する。
【００３０】
各第２挿入ガイド５０は、図９，１０に示すように、上面７ａから回路基板３に向けて略正方形の凸状に立ち上がっており、平坦な頂部壁５４と、上面７ａから頂部壁５４へと垂直方向に延びている周壁５６と、を備えている。周壁５６は、一方のソレノイドコイル１５Ａ（図１２参照）の中心へ向かう第１の前面部５６ａと、他方のソレノイドコイル１５Ｂ（図１２参照）の中心へ向かう第２の前面部５６ｂと、両者を接続する一対の側面部５６ｃと、からなる。
【００３１】
頂部壁５４は、図９に示すように、略正方形状をなし、その四隅に、端子１８が挿通する円形のガイド孔６０が開口形成されている。第１の前面部５６ａ側に位置する２つのガイド孔６０間の間隔及び第２の前面部５６ｂ側に位置する２つのガイド孔６０間の間隔は、それぞれ挿入される２本の端子１８間の間隔に合わせて設定されている。ガイド孔６０は、図１０に示すように、端子１８の挿入を容易にするために外側（頂面側）が小径となるテーパ状をなしており、このガイド孔６０の小径部分の内径は、スルーホール３ａの内径よりも小さく設定されている。
【００３２】
周壁５６の内側には、各端子１８の少なくとも三方をそれぞれ取り囲む４つのガイド溝６２が形成されている。各ガイド溝６２は、コイル収容部１６と連通するとともに、ガイド孔６０に連続するように垂直方向に延びている。各ガイド溝６２の側面部５６ｃ方向の幅は、ガイド孔６０の大径部分の内径と実質的に同じ大きさである。なお、４つのガイド溝６２は互いに独立している。
【００３３】
図９に示すように、一対の側面部５６ｃの各々には、上面７ａ側における両端部にそれぞれ形成された略矩形の２つの開口部６４が形成されている。開口部６４はガイド溝６２に連続しており、したがって、開口部６４を介して各々のガイド溝６２の一部が開放されている。
【００３４】
ここで、図１２つまり図３のＤ−Ｄ線に沿った方向から見たときに、一方のソレノイドコイル１５Ｂの端子１８Ｂが上方へ直線的に延びているのに対し、他方のソレノイドコイル１５Ａの端子１８Ａは、中間部で端子１８Ｂから離れる方向に屈曲して、オフセットした形で上方へ延びている。したがって、ソレノイドコイル１５Ａに対応する第１の前面部５６ａ側のガイド溝６２と、ソレノイドコイル１５Ｂに対応する第２の前面部５６ｂ側のガイド溝６２と、は互いに非対称に構成されており、図１２に示すように、端子１８Ｂに対応するガイド溝６２が相対的に細い筒状をなすのに対し、端子１８Ａに対応するガイド溝６２は、図３のＤ−Ｄ線に沿った方向の寸法が大きなものとなっている。
【００３５】
図９に示すように、第２挿入ガイド５０の両側面部５６ｃ側において、底壁部７には、開口部６４及びガイド溝６２と連続する２つの開口部６６がそれぞれ開口形成されている。各開口部６６は、コイル収容部１６と連通しており、両側面部５６ｃから外方に細長く延びている。また、図１２に示すように、第１の前面部５６ａ側及び第２の前面部５６ｂ側において、底壁部７には、コイル収容部１６に対して開口している略円形の開口部６８がそれぞれ開口形成されている。なお、両側面部５６ｃ及び第２の前面部５６ｂは平面状をなしているのに対し、第１の前面部５６ａは、開口部６８の外縁に沿って中央部分が窪んでいる。
【００３６】
また、第２挿入ガイド５０の高さは、第１挿入ガイド３０の高さと同一であり、回路基板３をケース２に組み付けたときに、頂部壁５４が下面３ｃ上に形成された図示しないはんだフィレットと干渉しないように設定されている。頂部壁５４は、はんだフィレットと干渉しない範囲で下面３ｃと近接していることが望ましい。
【００３７】
図１１は、一対のソレノイドコイル１５の計４本の端子１８（１８Ａ，１８Ｂ）を第２挿入ガイド５０に挿入した状態を示している。端子１８は、ガイド溝６２を通り、先端部１８ａがガイド孔６０を通って第２挿入ガイド５０から突出している。また、端子１８の基部１８ｂは、開口部６６から上方に突出するとともに、開口部６４から側方に突出している。
【００３８】
次に、第１挿入ガイド３０及び第２挿入ガイド５０による端子１８のガイド作用について説明する。
【００３９】
図７，８に示すように、第１挿入ガイド３０の下方に収容されるソレノイドコイル１５の端子１８は、底壁部７を貫通し、第１挿入ガイド３０の底部からガイド溝４２を通して第１挿入ガイド３０内に挿入される。次いで、端子１８は、ガイド溝４２によりガイド孔４０まで案内され、ガイド孔４０を通って第１挿入ガイド３０から突出する。同様に、図１１，１２に示すように、第２挿入ガイド５０の下方に収容されるソレノイドコイル１５の端子１８は、底壁部７を貫通し、第２挿入ガイド５０の底部からガイド溝６２を通して第２挿入ガイド５０内に挿入される。次いで、端子１８は、ガイド溝６２によりガイド孔６０まで案内され、ガイド孔６０を通って第２挿入ガイド５０から突出する。回路基板３は頂部壁３４，５４に近接して配置され、ガイド孔４０，６０とスルーホール３ａとが整列するため、第１挿入ガイド３０及び第２挿入ガイド５０から突出した端子１８は、それぞれスルーホール３ａへと案内されてスルーホール３ａに挿入される。
【００４０】
本実施例によれば、底壁部７の上面７ａから回路基板３の近傍まで挿入ガイド３０，５０が立ち上がっており、その頂部壁３４，５４にガイド孔４０，６０が開口形成されているため、回路基板３のスルーホール３ａに端子１８を容易に挿通させることができる。
【００４１】
さらに、本実施例によれば、挿入ガイド３０が一方に向かって開放された断面逆Ｌ字状に形成されているため、この挿入ガイド３０の開放された部分から端子１８の屈曲部１８ｃを側方へと突出させることができる。
【００４２】
また、本実施例によれば、挿入ガイド３０，５０は、端子１８の三方を取り囲むように形成されたガイド溝４２，６２を有し、このガイド溝４２，６２に連続してガイド孔４０，６０が形成されているため、ガイド溝４２，６２を通すことで端子１８をガイド孔４０，６０まで案内することができる。
【００４３】
本実施例によれば、挿入ガイド３０の頂部壁３４に一対のガイド孔４０が開口形成されており、１つのソレノイドコイル１５の一対の端子１８をガイド孔４０にそれぞれ挿入することができるため、一対の端子１８を回路基板３のスルーホール３ａに容易に挿通させることができる。
【００４４】
さらに、本実施例によれば、第２挿入ガイド５０の頂部壁５４に二対のガイド孔６０が開口形成されており、２つのソレノイドコイル１５の背面同士を突き合わせた状態で、端子１８をガイド孔６０に挿入することができるため、２つのソレノイドコイル１５をより近接させて配置することができるとともに、１つのソレノイドコイル１５に対応する挿入ガイドを別々に成形するよりも成形が容易となる。
【００４５】
また、本実施例によれば、挿入ガイド３０，５０は、回路基板３上のはんだフィレットと干渉しないように高さが設定されており、他の電子部品の表面実装に支障がないとともに、回路基板３と頂部壁３４，５４とが近接しているため、端子１８をスルーホール３ａに容易に挿通させることができる。
〔第２実施例〕
次に、図１３〜１５を参照して、本発明の他の実施例について説明する。本実施例では、第１挿入ガイド３０及び第２挿入ガイド５０に加えて、挿入ガイドプレート７０が用いられる。
【００４６】
図１３，１４に示すように、矩形の薄板からなる合成樹脂製の挿入ガイドプレート７０は、４つの第２挿入ガイド５０の頂部壁５４を覆う長さを有するとともに、頂部壁５４の前後方向の幅と実質的に同一の幅を有しており、回路基板３に対する位置決め部である一対の第１位置決めピン７１と、ケース２に対する位置決め部である一対の第２位置決めピン７２と、挿入ガイドプレート７０を回路基板３に取り付けるための一対の固定フック７３と、を有している。
【００４７】
回路基板３に対して挿入ガイドプレート７０を位置決めするために用いられる第１位置決めピン７１は、挿入ガイドプレート７０の両端部にそれぞれ配設されており、回路基板３側に面した上面７０ａから垂直方向に突出している。また、第２挿入ガイド５０つまりケース２に対して回路基板３を位置決めするために用いられる第２位置決めピン７２は、挿入ガイドプレート７０の両端部において、第１位置決めピン７１と同軸上に配設されており、第２挿入ガイド５０側の下面７０ｂから垂直方向に突出している。第１位置決めピン７１及び第２位置決めピン７２は、いずれも円柱状をなしている。
【００４８】
固定フック７３は、一対の第１位置決めピン７１の内側に位置し、上面７０ａから垂直方向に突出している。固定フック７３の位置は、図１４に示すように、挿入ガイドプレート７０が取り付けられたときに、内側に位置する２つの第２挿入ガイド５０の上方に位置するように設定されている。各固定フック７３は、先端に形成された爪部７３ａと、基部側の首部７３ｂと、を備えている。爪部７３ａは、回路基板３と係合するように上面及び下面が傾斜した山形をなしており、首部７３ｂは断面矩形をなしている。一対の固定フック７３は、爪部７３ａの頂部が内側を向くようにして互いに対向している。
【００４９】
さらに、挿入ガイドプレート７０には、位置決めピン７１，７２及び固定フック７３の周囲において、端子１８をガイドするための円形のガイド孔７４がそれぞれ４つずつ開口形成されている。図１４に示すように、挿入ガイドプレート７０が取り付けられたときに、各ガイド孔７４は、スルーホール３ａの直下に位置するとともに、第２挿入ガイド５０のガイド孔６０の直上に位置するように配置されている。また、各ガイド孔７４は、図１５に示すように、端子１８の挿入を容易にするために上面７０ａ側が小径となるテーパ状をなしている。なお、挿入ガイドプレート７０には、他の電子部品の端子が挿通される複数の貫通孔７５が開口形成されている。
【００５０】
本実施例では、図１４，１５に示すように、回路基板３には、固定フック７３が挿入される２つの矩形の貫通孔７６と、第１位置決めピン７１が挿入される２つの円形の貫通孔７７と、が開口形成されている。各貫通孔７６，７７は、各第２挿入ガイド５０に対応する４つスルーホール３ａの略中央に配設されている。さらに、外側に位置する２つの第２挿入ガイド５０には、図１５に示すように、第２位置決めピン７２が挿入される位置決め孔７８がそれぞれ形成されている。各位置決め孔７８は、頂部壁５４の中央に配設されており、ガイド溝６２から独立して垂直方向に延びている。
【００５１】
このように構成された挿入ガイドプレート７０は、第１位置決めピン７１が貫通孔７７に挿通され、固定フック７３が貫通孔７６に挿通されて爪部７３ａの下面が回路基板３の上面３ｂに係合することにより、回路基板３に対して固定される。
【００５２】
回路基板３をケース２に取り付けるときは、第２位置決めピン７２を位置決め孔７８に挿入することで、挿入ガイドプレート７０ひいては回路基板３が第２挿入ガイド５０つまりケース２に対して位置決めされる。そして、回路基板３は、スナップフィット部１１によりケース２に対して取り付けられる。このとき、挿入ガイドプレート７０は、上面７０ａと回路基板３の下面３ｃとが密に接するとともに、下面７０ｂと第２挿入ガイド５０の頂面とが密に接した状態で、回路基板３と第２挿入ガイド５０との間に配置される。
【００５３】
次に、図１４，１５を参照して、挿入ガイドプレート７０による端子１８のガイド作用について説明する。
【００５４】
第２挿入ガイド５０内に挿入された端子１８は、ガイド溝６２によりガイド孔６０まで案内され、ガイド孔６０を通って第２挿入ガイド５０から突出する。挿入ガイドプレート７０は回路基板３と第２挿入ガイド５０との間に密に配置されて、ガイド孔６０、ガイド孔７４及びスルーホール３ａが整列するため、第２挿入ガイド５０から突出した端子１８は、ガイド孔７４によりスルーホール３ａへと案内されてスルーホール３ａを挿通する。
【００５５】
本実施例によれば、第２挿入ガイド５０に加えて、挿入ガイドプレート７０を用いることにより、回路基板３と第２挿入ガイド５０との間のクリアランスがなくなり、ガイド孔６０、ガイド孔７４及びスルーホール３ａが連続するため、より容易に端子１８をスルーホール３ａに挿入することができる。さらに、ガイド孔７４は、回路基板３側が小径となるテーパ状をなしているため、より容易に端子１８をガイド孔７４に挿入することができる。
【００５６】
以上、本発明の実施例について説明したが、本発明は上記実施例に限られず、種々の変更が可能である。
【００５７】
上記実施例では、本発明を横滑り防止装置（ＥＳＣ）用の電子制御装置に適用したものであるが、本発明はこれに限定されず、他の電子制御装置に本発明を適用してもよい。
【００５８】
また、上記実施例では、２つの第１挿入ガイド３０及び４つの第２挿入ガイド５０を底壁部７に設けているが、挿入ガイド３０，５０は上記の個数に限定されない。
【００５９】
さらに、挿入ガイド３０，５０の形状並びにガイド孔４０，６０，７４及び貫通孔７６，７７の形状は、上記実施例の形状に限定されることなく、他の形状としてもよい。
【００６０】
また、上記実施例では、挿入ガイドプレート７０を第２挿入ガイド５０に適用しているが、第１挿入ガイド３０に適用することもできる。
【符号の説明】
【００６１】
１  電子制御装置
２  ケース
３  回路基板
１５  ソレノイドコイル
１８  端子
３０  第１挿入ガイド
４０  ガイド孔
５０  第２挿入ガイド
６０  ガイド孔
７０  挿入ガイドプレート
【図１】
0006449694.tif 000002
【図２】
0006449694.tif 000003
【図３】
0006449694.tif 000004
【図４】
0006449694.tif 000005
【図５】
0006449694.tif 000006
【図６】
0006449694.tif 000007
【図７】
0006449694.tif 000008
【図８】
0006449694.tif 000009
【図９】
0006449694.tif 000010
【図１０】
0006449694.tif 000011
【図１１】
0006449694.tif 000012
【図１２】
0006449694.tif 000013
【図１３】
0006449694.tif 000014
【図１４】
0006449694.tif 000015
【図１５】
0006449694.tif 000016